(57)【要約】【課題】端末装置がセルのように振る舞うシステムにおいて、ページングの対象となる端末装置へ効果的にページングを行うことが可能な無線通信装置を提供する。【解決手段】基地局からページングメッセージを取得する取得部と、前記取得部が取得した前記ページングメッセージに基づいて、自装置を介して前記基地局との無線通信を行う１以上の他の端末装置に対するページングを実行する制御部と、を備える、端末装置が提供される。【選択図】図１
2016163206.tif 000002
【特許請求の範囲】
【請求項１】
基地局からページングメッセージを取得する取得部と、
前記取得部が取得した前記ページングメッセージに基づいて、自装置を介して前記基地局との無線通信を行う１以上の他の端末装置に対するページングを実行する制御部と、
を備える、端末装置。
【請求項２】
前記取得部は、前記他の端末装置に向けたページングメッセージが含まれるページングメッセージを取得する、請求項１に記載の端末装置。
【請求項３】
前記制御部は、前記他の端末装置に対するページングのタイミングを、前記基地局からのページングとは独自に規定する、請求項１に記載の端末装置。
【請求項４】
前記制御部は、全ての前記他の端末装置に対して同一のページングフレームでページングを実行するよう規定する、請求項３に記載の端末装置。
【請求項５】
前記制御部は、全ての前記他の端末装置に対して同一のページングフレーム及びサブフレームでページングを実行するよう規定する、請求項３に記載の端末装置。
【請求項６】
前記制御部は、前記他の端末装置のそれぞれに対して異なるページングフレームでページングを実行するよう規定する、請求項３に記載の端末装置。
【請求項７】
前記制御部は、前記他の端末装置に対するページングの間隔を、前記基地局からのページングの間隔より長くなるよう規定する、請求項３に記載の端末装置。
【請求項８】
前記制御部は、自装置を識別する情報及び前記他の端末装置を識別する情報を前記基地局に送信する、請求項１に記載の端末装置。
【請求項９】
第１の端末装置及び前記第１の端末装置を介して無線通信を行う第２の端末装置に対するページングを実行する制御部と、
前記制御部による前記第２の端末装置に対するページングのタイミングを前記第１の端末装置に対するページングのタイミングとは独自に規定するための情報を取得する取得部と、
を備える、無線通信装置。
【請求項１０】
前記制御部は、前記第１の端末装置が規定したタイミングで前記第２の端末装置に対するページングを実行する、請求項９に記載の無線通信装置。
【請求項１１】
前記制御部は、前記取得部が取得した情報に基づいて前記第２の端末装置に対するページングのタイミングを規定する、請求項９に記載の無線通信装置。
【請求項１２】
基地局からページングメッセージを取得することと、
取得した前記ページングメッセージに基づいて、端末装置を介して前記基地局との無線通信を行う他の端末装置に対するページングを実行することと、
を含む、無線通信方法。
【請求項１３】
第１の端末装置及び前記第１の端末装置を介して無線通信を行う第２の端末装置に対するページングを実行することと、
前記第２の端末装置に対するページングのタイミングを前記第１の端末装置に対するページングのタイミングとは独自に規定するための情報を取得することと、
を含む、無線通信方法。
【請求項１４】
コンピュータに、
基地局からページングメッセージを取得することと、
取得した前記ページングメッセージに基づいて、端末装置を介して前記基地局との無線通信を行う他の端末装置に対するページングを実行することと、
を実行させる、コンピュータプログラム。
【請求項１５】
コンピュータに、
第１の端末装置及び前記第１の端末装置を介して無線通信を行う第２の端末装置に対するページングを実行することと、
前記第２の端末装置に対するページングのタイミングを前記第１の端末装置に対するページングのタイミングとは独自に規定するための情報を取得することと、
を実行させる、コンピュータプログラム。
【発明の詳細な説明】
【技術分野】
【０００１】
本開示は、端末装置、無線通信装置、無線通信方法及びコンピュータプログラムに関する。
【背景技術】
【０００２】
ＬＴＥ（Ｌｏｎｇ  Ｔｅｒｍ  Ｅｖｏｌｕｔｉｏｎ）のプラットフォームにおいて、ページングという技術が用いられている（例えば特許文献１等参照）。ページングは、主に、ネットワーク（ｅＮｏｄｅＢ）側からアイドル（ＩＤＬＥ）モードの端末装置を呼び出すための技術であり、データや音声の着信、災害情報などの緊急通知のために用いられる技術である。
【先行技術文献】
【特許文献】
【０００３】
【特許文献１】特開２０１２−５０９０号公報
【発明の概要】
【発明が解決しようとする課題】
【０００４】
従来のページングでは、ｅＮｏｄｅＢとの通信において端末装置のみがＩＤＬＥモードに入っていた。しかしながら、端末装置がセルのように振る舞うシステムにおいては、ページングの対象となる端末装置のみならず、セルの役割を果たす端末装置もＩＤＬＥモードに入ることが想定される。このような環境に適応する新しいページングの仕組みが必要となる。【０００５】
そこで本開示では、端末装置がセルのように振る舞うシステムにおいて、ページングの対象となる端末装置へ効果的にページングを行うことが可能な、新規かつ改良された端末装置、無線通信装置、無線通信方法及びコンピュータプログラムを提案する。
【課題を解決するための手段】
【０００６】
本開示によれば、基地局からページングメッセージを取得する取得部と、前記取得部が取得した前記ページングメッセージに基づいて、自装置を介して前記基地局との無線通信を行う１以上の他の端末装置に対するページングを実行する制御部と、を備える、端末装置が提供される。【０００７】
また本開示によれば、第１の端末装置及び前記第１の端末装置を介して無線通信を行う第２の端末装置に対するページングを実行する制御部と、前記制御部による前記第２の端末装置に対するページングのタイミングを前記第１の端末装置に対するページングのタイミングとは独自に規定するための情報を取得する取得部と、を備える、無線通信装置が提供される。【０００８】
また本開示によれば、基地局からページングメッセージを取得することと、取得した前記ページングメッセージに基づいて、端末装置を介して前記基地局との無線通信を行う他の端末装置に対するページングを実行することと、を含む、無線通信方法が提供される。【０００９】
また本開示によれば、第１の端末装置及び前記第１の端末装置を介して無線通信を行う第２の端末装置に対するページングを実行することと、前記第２の端末装置に対するページングのタイミングを前記第１の端末装置に対するページングのタイミングとは独自に規定するための情報を取得することと、を含む、無線通信方法が提供される。【００１０】
また本開示によれば、コンピュータに、基地局からページングメッセージを取得することと、取得した前記ページングメッセージに基づいて、端末装置を介して前記基地局との無線通信を行う他の端末装置に対するページングを実行することと、を実行させる、コンピュータプログラムが提供される。【００１１】
また本開示によれば、コンピュータに、第１の端末装置及び前記第１の端末装置を介して無線通信を行う第２の端末装置に対するページングを実行することと、前記第２の端末装置に対するページングのタイミングを前記第１の端末装置に対するページングのタイミングとは独自に規定するための情報を取得することと、を実行させる、コンピュータプログラムが提供される。
【発明の効果】
【００１２】
以上説明したように本開示によれば、端末装置がセルのように振る舞うシステムにおいて、ページングの対象となる端末装置へ効果的にページングを行うことが可能な、新規かつ改良された端末装置、無線通信装置、無線通信方法及びコンピュータプログラムを提供することが出来る。【００１３】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】Small Cell Enhancement（ＳＣＥ）について説明する説明図である。
【図２】ＬＮ（Localized Network）の一例を示す説明図である。
【図３】ＬＴＥのプラットフォームにおけるページングの概要を示す説明図である。
【図４】ＬＴＥのプラットフォームにおけるページングの動作フローを示す流れ図である。
【図５】ＦＤＤの場合のルックアップテーブルを示す説明図である。
【図６】ＴＤＤの場合のルックアップテーブルを示す説明図である。
【図７】本開示の実施形態に係る通信システム１の概略的な構成の一例を示す説明図である。
【図８】本開示の実施形態に係る端末装置１００の構成の一例を示すブロック図である。
【図９】本開示の一実施形態に係る基地局２００の機能構成例を示すブロック図である。
【図１０】本開示の一実施形態に係る制御エンティティ３００の機能構成例を示すブロック図である。
【図１１】ステータスの組み合わせを示す説明図である
【図１２】本開示の一実施形態に係る通信システム１の動作例を示すシーケンス図である。
【図１３】本開示の一実施形態に係る通信システム１の動作例を示すシーケンス図である。
【図１４】既に規定されているＳ１ＡＰ：Ｐａｇｉｎｇメッセージの構造を示す説明図である。
【図１５】既に規定されているＲＲＣ：Ｐａｇｉｎｇメッセージの構造を示す説明図である。
【図１６】本開示に係る技術が適用され得るサーバ７００の概略的な構成の一例を示すブロック図である。
【図１７】本開示に係る技術が適用され得るｅＮＢの概略的な構成の第１の例を示すブロック図である。
【図１８】本開示に係る技術が適用され得るｅＮＢの概略的な構成の第２の例を示すブロック図である。
【図１９】本開示に係る技術が適用され得るスマートフォン９００の概略的な構成の一例を示すブロック図である。
【図２０】本開示に係る技術が適用され得るカーナビゲーション装置９２０の概略的な構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．本開示の実施の形態
１．１．背景
１．２．構成例
１．２．１．通信システムの構成例
１．２．２．端末装置の構成例
１．２．３．基地局の構成例
１．２．４．制御エンティティの構成例
１．３．動作例
２．応用例
３．まとめ
【００１７】
＜１．本開示の実施の形態＞
［１．１．背景］
まず、本開示の実施の形態について詳細に説明する前に、本開示の実施の形態の背景について説明する。
【００１８】
近年の無線通信環境は、データトラフィックの急増に直面している。将来のトラフィック急増の対策として、現行の３ＧＰＰではマクロセル基地局内にスモールセル基地局を高密度に配置し、ネットワーク密度を高めることでトラフィックの分散を行うSmall Cell Enhancementについて検討が行われている。図１は、Small
Cell Enhancement（ＳＣＥ）について説明する説明図である。ＳＣＥは、屋内等のスモールセル向けの周波数帯として3GHz帯以上の高い帯域を使うことを想定しており。マクロエリアの中にスモールセル局を配置し、データトラフィックをスモールセル側にオフロードすることで全体のキャパシティを向上させる事を目的とするものである。
【００１９】
また、次世代無線通信である５Ｇへ向けての提案においても、より高い周波数を用いて、カバレッジの小さなスモールセル基地局をマクロセル基地局内に超高密度に配置するUltra-Dense Networkなどが提案されている。
【００２０】
しかしながら、このような高密度のスモールセルの配置においては、基地局の配置スペースを確保したり、ネットワークの消費電力の拡大、設備コスト、保守費用等が増加したりするなどの実現に向けて解決すべき点が多い。従って、トラフィック急増を対策しつつ、より低コストで、かつネットワークのトラフィック状況に応じて柔軟な対応が可能なネットワークが望ましい。
【００２１】
そこで、ヘテロジーニアスネットワーク環境下でスモールセル基地局が存在しないようなエリアにおいて、スモールセル基地局のような機能を備えたＵＥ（Ｕｓｅｒ  Ｅｑｕｉｐｍｅｎｔ）が仮想的なスモールセルネットワークを構築するＬＮＭ（Ｌｏｃａｌｉｚｅｄ  Ｎｅｔｗｏｒｋ  Ｍａｎａｇｅｍｅｎｔ）の提案が行われている。ＬＮＭでは、ネットワークの状況に応じて、柔軟かつ低コストに仮想的なスモールセルの配置が可能である。
【００２２】
図２は、ＬＮ（Ｌｏｃａｌｉｚｅｄ  Ｎｅｔｗｏｒｋ）の一例を示す説明図である。ＬＮは、仮想的なスモールセルとなりうる端末（以下「マスタ端末」とも称する）及びマスタ端末に接続している端末（以下「スレーブ端末」とも称する）から構成されている。ＬＮでは、マクロセル基地局、マスタ端末間の通信を行うバックホール回線及びマスタ端末とスレーブ端末との間の通信を行うアクセス回線を有している。バックホール回線は、無線であっても有線であってもよい。
【００２３】
ＬＮにおいて、通常、マスタ端末は、バックホール回線とアクセス回線の送受信を同時に行うと、アイソレーションが確保できない限り、送信信号が自身の受信機に回り込んで、干渉が問題となる。そのため、ＬＮにおいて、マスタ端末は、時分割でバックホール回線とアクセス回線の通信を行う。時分割でバックホール回線とアクセス回線の通信を行うことにより、マスタ端末でのバッファ確保や、スレーブ端末側でのレイテンシが大きな問題になる。
【００２４】
マスタ端末でのバッファ確保や、スレーブ端末側でのレイテンシを解決する手段として、マスタ端末にＦｕｌｌ  Ｄｕｐｌｅｘ（全二重）通信を適用し、バックホール回線並びにアクセス回線において同時送受信を行うことが可能な、ＦＤＬＮ（Ｆｕｌｌ  Ｄｕｐｌｅｘ  Ｌｏｃａｌｉｚｅｄ  Ｎｅｔｗｏｒｋ）の提案が行われている。これにより、同一周波数リソースを用いたＦｕｌｌ  Ｄｕｐｌｅｘ通信による同時送受信が可能となり、マスタ端末でのバッファ確保や、スレーブ端末側でのレイテンシを解決し、ネットワーク全体のキャパシティ増加が期待できる。
【００２５】
ＬＴＥのプラットフォームにおいて、ページングという技術が用いられている。ページングは、主に、ネットワーク（ｅＮｏｄｅＢ）側からＩＤＬＥモードの端末装置を呼び出すための技術であり、データや音声の着信、災害情報などの緊急通知のために用いられる技術である。
【００２６】
図３は、ＬＴＥのプラットフォームにおけるページングの概要を示す説明図である。また図４は、ＬＴＥのプラットフォームにおけるページングの動作フローを示す流れ図である。
【００２７】
図３及び図４に示したように、ネットワーク側のＭＭＥ（Ｍｏｂｉｌｉｔｙ  Ｍａｎａｇｅｍｅｎｔ  Ｅｎｔｉｔｙ）からｅＮｏｄｅＢを経由して、ＵＥへとページングメッセージが通知されることでページングが行われる。ネットワーク側からｅＮｏｄｅＢまでをＳ１ＡＰ：Ｐａｇｉｎｇと呼び、ｅＮｏｄｅＢからＵＥまでをＲＲＣ：Ｐａｇｉｎｇと呼ぶ。
【００２８】
ＭＭＥは、複数のＴＡ（Ｔｒａｃｋｉｎｇ  Ａｒｅａ；位置登録エリア）に対してＳ１ＡＰ：Ｐａｇｉｎｇ信号を送信し、各ｅＮｏｄｅＢは、受信した信号をベースにＲＲＣ：Ｐａｇｉｎｇ信号を作成し、ＵＥへと通知する。ＵＥは、自分宛てのページング信号を発見した場合はＲＡＣＨ  ｐｒｏｃｅｄｕｒｅへと移行し、ｅＮｏｄｅＢに対してＲＲＣ  ｃｏｎｎｅｃｔｅｄ状態へ遷移する。なお、ＬＴＥのプラットフォームにおけるページングでは、タイマＴ３４１３が設定される。
【００２９】
ＵＥは、ページングを正しく受信するために、ネットワーク側から送信されるページング情報を適切に読む必要がある。しかし、常にネットワーク側からの信号を待ち受けていては、ＵＥの消費電力が膨大になってしまう。そこで、ＬＴＥのプラットフォームでは、図４に示したように、ＤＲＸ（Ｄｉｓｃｏｎｔｉｎｕｏｕｓ  Ｒｅｃｅｐｔｉｏｎ）という間欠受信の方式を取り入れることで効果的なページング信号の受信を行っている。
【００３０】
図４を用いて既存のページング処理を簡単に説明する。ＭＭＥは、タイマＴ３４１３を開始して、ｅＮｏｄｅＢへＳ１ＡＰ：Ｐａｇｉｎｇを送信する。またＵＥは、ＤＲＸサイクルに基づいて定期的にｅＮｏｄｅＢからのＲＲＣ：Ｐａｇｉｎｇメッセージを待機する。ｅＮｏｄｅＢは、ＤＲＸサイクルに合わせてｅＮｏｄｅＢへＲＲＣ：Ｐａｇｉｎｇメッセージを送信する。ＲＲＣ：Ｐａｇｉｎｇメッセージは、ＵＥは、ｅＮｏｄｅＢからＲＲＣ：Ｐａｇｉｎｇメッセージを受信すると、ランダムアクセス手順（Ｒａｎｄｏｍ  Ａｃｃｅｓｓ  Ｐｒｏｃｅｄｕｒｅ）を開始してｅＮｏｄｅＢとの通信を確立する。ＵＥは、ｅＮｏｄｅＢへＲＲＣ  Ｃｏｎｎｅｃｔｉｏｎ  Ｒｅｑｕｅｓｔを送信し、ｅＮｏｄｅＢはＵＥへＲＲＣ  Ｃｏｎｎｅｃｔｉｏｎ  Ｓｅｔｕｐを送信する。ＵＥは、ＲＲＣ  Ｃｏｎｎｅｃｔｉｏｎ  Ｓｅｔｕｐの受信に応じてＲＲＣ  Ｃｏｎｎｅｃｔｉｏｎ  Ｓｅｔｕｐ  ＣｏｍｐｌｅｔｅをｅＮｏｄｅＢへ送信する。ｅＮｏｄｅＢは、ＲＲＣ  Ｃｏｎｎｅｃｔｉｏｎ  Ｓｅｔｕｐ  ＣｏｍｐｌｅｔｅをＵＥから受信すると、ＭＭＥへＳｅｒｖｉｃｅ  Ｒｅｑｕｅｓｔを送信する。ＭＭＥは、ｅＮｏｄｅＢからのＳｅｒｖｉｃｅ  Ｒｅｑｕｅｓｔの受信によりタイマＴ３４１３を停止する。
【００３１】
ＤＲＸは、一定のサイクルで間欠受信を行う仕組みである。間隔のデフォルト値はＳＩＢ２にて通知され、以下の範囲で設定される。
｛３２，  ６４，  １２８，  ２５６｝  ［Ｒａｄｉｏ  Ｆｒａｍｅｓ］
間隔の値は、ＵＥ側からネットワーク側へとリクエストすることも可能である。この場合、取りうる値は同じであり、“Ａｔｔａｃｈ  Ｒｅｑｕｅｓｔ”や“Ｔｒａｃｋｉｎｇ  Ａｒｅａ  Ｕｐｄａｔｅ  Ｒｅｑｕｅｓｔ”を用いてＵＥ側からネットワーク側へと通知される。なお、デフォルト値とＵＥからのリクエストが両方設定された場合は、どちらか小さい方の値が採用される。
【００３２】
ＵＥは決まったページング間隔と、ＵＥ＿ＩＤなどの情報をベースに、ページング信号を受信するフレーム（ＰＦ：Ｐａｇｉｎｇ  Ｆｒａｍｅ）の設定を行う。ＰＦのシステムフレーム番号（ＳＦＮ）は以下の数式を用いた計算によって設定される。
【００３３】
ＳＦＮ  ｍｏｄ  Ｔ＝（Ｔ／Ｎ）×（ＵＥ＿ＩＤ  ｍｏｄ  Ｎ）
【００３４】
ここで、Ｔは、ページングメッセージを受信するためのＵＥのＤＲＸサイクルであり、無線フレームの数で表される。Ｎは、ＴとｎＢのうち最小値である。ｎＢは、４Ｔ，２Ｔ，Ｔ，Ｔ／２，Ｔ／４，Ｔ／８，Ｔ／１６，およびＴ／３２から選択される値である。
【００３５】
また、ＵＥ＿ＩＤは、下記の式から求められる。
【００３６】
ＵＥ＿ＩＤ＝ＩＭＳＩ  ｍｏｄ  １０２４
【００３７】
ここで、ＩＭＳＩはＵＥのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であり、ＵＥはＵＥ自身のＩＭＳＩを知っている。ＵＥは、ＭＭＥ（Ｍｏｂｉｌｅ  Ｍａｎａｇｅｍｅｎｔ  Ｅｎｔｉｔｙ）にＵＥのＩＭＳＩを通知し、ＭＭＥはｅＮｏｄｅＢにそのＩＭＳＩ、またはＭＭＥが計算したＵＥ＿ＩＤを通知する。
【００３８】
次にＵＥは、このようにして求められたＰＦのうち、ページング信号を受信するサブフレーム（ＰＯ：Ｐａｇｉｎｇ  Ｏｃｃａｓｉｏｎ）を決定する。ＰＯのサブフレーム番号は、下記のように求められる。まず下記の式により、インデックスｉ＿ｓを求める。
【００３９】
ｉ＿ｓ＝ｆｌｏｏｒ（ＵＥ＿ＩＤ／Ｎ）  ｍｏｄ  Ｎｓ
【００４０】
ここで、Ｎｓは、１とｎＢ／Ｔのうち最大値である。また図５は、ＦＤＤの場合のルックアップテーブルを示す説明図であり、図６は、ＴＤＤの場合のルックアップテーブルを示す説明図である。
【００４１】
ここで、Ｎｓはセル固有に設定され、Ｎｓの値が大きくなればなるほどページング容量（Ｐａｇｉｎｇ  ｃａｐａｃｉｔｙ）が大きい。Ｓｕｂｆｒａｍｅ  ０，５は、同期信号やシステム情報が入っているため、ＭＢＳＦＮ  Ｓｕｂｆｒａｍｅが設定できない。そのため、ページング情報もこのＳｕｂｆｒａｍｅに入れれば、スペックインパクトは小さい。
【００４２】
しかしながら、ページング容量の小さい（帯域が狭い）セルにとっては、Ｓｕｂｆｍｒａｅ  ０、５は既にリソースが無いので、ページング情報を入れることは難しい。そのため、Ｐａｇｉｎｇ  ｃａｐａｃｉｔｙが小さいセルには、Ｓｕｂｆｒａｍｅ  ０、５以外、特にＳｕｂｆｒａｍｅ  ４、９をページングのために割り当てる傾向がある。Ｓｕｂｆｒａｍｅ  ４，９であれば、ページングの直後に同期信号とシステム情報を読むことができ、ＵＥにとっては効率的である。一方、Ｓｕｂｆｒａｍｅ  ０、５に比較的余裕があるセル（ページング容量の大きいセル）に対しては、Ｓｕｂｆｒａｍｅ０、５にページングを割り当てることができる。
【００４３】
ＴＤＤのケースでは、少なくともＤＬ  ｓｕｂｆｒａｍｅにマッピングする必要があるため、常にＤＬの設定があるＳｕｂｆｒａｍｅ  ０、５が最優先される。この場合、ページング情報とシステム情報のクラッシュも許容される。ページング容量が大きいセルに対しては、Ｓｕｂｆｒａｍｅ  １、６がページングのために追加で使用できる。Ｓｕｂｆｒａｍｅ  １はＳｐｅｃｉａｌ  ｓｕｂｆｒａｍｅで、Ｓｕｂｆｒａｍｅ  ６はＳｐｅｃｉａｌ  ｓｕｂｆｒａｍｅまたはＤＬ  ｓｕｂｆｒａｍｅである。Ｓｐｅｃｉａｌ  ｓｕｂｆｒａｍｅはＰＤＣＣＨの領域が制限されているため、ページング容量が小さいセルではページングに用いることができない。そのため、Ｓｐｅｃｉａｌ  ｓｕｂｆｒａｍｅはページング容量が高いセルのみに割り当てられている。
【００４４】
このようにＬＴＥのプラットフォームでは、ＤＲＸを取り入れることで、端末装置に効果的にページング信号を受信させることが出来る。
【００４５】
従来のページングでは、ｅＮｏｄｅＢとの通信においてＩＤＬＥモードに入る可能性があるのは端末装置のみであった。しかしながら、端末装置がセルのように振る舞うＬＮＭのようなシステムにおいては、ページングの対象となる端末装置のみならず、セルの役割を果たす端末装置もＩＤＬＥモードに入る可能性がある。端末装置がセルのように振る舞うシステムに適応する新しいページングの仕組みが必要となる。
【００４６】
そこで本件開示者は、上述した背景に鑑み、端末装置がセルのように振る舞うシステムにおいて、ページングの対象となる端末装置へ効果的にページングを行うことが可能な技術について鋭意検討を行った。その結果、本件開示者は、端末装置がセルのように振る舞うシステムにおいて、ページングの対象となる端末装置へ効果的にページングを行うことが可能な技術を考案するに至った。
【００４７】
以上、本開示の実施の形態の背景について説明した。続いて、本開示の実施の形態について詳細に説明する。
【００４８】
（１．２．構成例）
（１．２．１．通信システムの構成例）
まず、本開示の一実施形態に係る通信システム１の概略的な構成を説明する。図７は、本開示の実施形態に係る通信システム１の概略的な構成の一例を示す説明図である。図７を参照すると、通信システム１は、端末装置１００ａ、１００ｂ、基地局２００及び制御エンティティ３００を含む。通信システム１は、例えば、ＬＴＥ、ＬＴＥ−Ａｄｖａｎｃｅｄ、又はこれらに準ずる通信規格に準拠したシステムである。
【００４９】
端末装置１００ａは、基地局２００や端末装置１００ｂとの無線通信を行う。また端末装置１００ｂは、基地局２００や端末装置１００ａとの無線通信を行う。端末装置１００ａ、１００ｂは、間欠受信動作を行う。端末装置１００ａ、１００ｂは、例えば、アイドルモードである場合に、ＤＲＸ動作を行う。具体的には、例えば、端末装置１００ａ、１００ｂは、端末装置１００ａ、１００ｂのページング機会に通常の受信動作を行い、他の期間では受信動作の少なくとも一部を停止する。例えば、端末装置１００ａ、１００ｂは、受信動作の少なくとも一部の停止の際に、受信動作に関連する回路の少なくとも一部に電力を供給しない。なお、端末装置１００ａ、１００ｂは、接続モードである場合にもＤＲＸ動作を行なってもよい。
【００５０】
基地局２００は、端末装置１００ａを含む１つ以上の端末装置との無線通信を行う。基地局２００は、マクロセルの基地局（即ち、マクロ基地局）であってもよく、又はスモールセルの基地局（即ち、スモール基地局）であってもよい。また基地局２００は、ページングを行う。具体的には、例えば、基地局２００は、時間軸上に繰り返し存在する各ページング区間内で、必要に応じて、端末装置のページング機会に当該端末装置向けのページングメッセージを送信する。
【００５１】
制御エンティティ３００は、本開示の各実施形態に応じた制御を行う。制御エンティティ３００は、例えば、既存の又は新規のコアネットワークノードである。あるいは、制御エンティティ３００は、基地局であってもよい。一例として、基地局２００がスモール基地局である場合に、制御エンティティ３００はマクロ基地局であってもよい。
【００５２】
以下の説明では、端末装置１００ａをマスタ端末として、端末装置１００ｂをスレーブ端末とする。すなわち端末装置１００ａはスモールセル基地局のような機能を備えたＵＥであり、端末装置１００ａ、１００ｂは、仮想的なスモールセルネットワーク（ＬＮ）を構築する。そして本開示の一実施形態に係る通信システム１は、基地局２００から端末装置１００ａへ、及び、基地局２００から端末装置１００ａを介して端末装置１００ｂへページング処理を実行する。なお、図７ではスレーブ端末が１台だけ存在している場合を図示しているが、本開示は係る例に限定されるものでは無く、１台のマスタ端末に複数台のスレーブ端末が存在していても良い。またスレーブ端末である端末装置１００ｂは基地局２００のカバレッジ範囲内に存在していても良く、基地局２００のカバレッジ範囲内に存在していなくても良い。
【００５３】
図７に示したような通信システム１のように、マスタ端末である端末装置１００ａがセルのように振る舞うシステムにおいては、スレーブ端末である端末装置１００ｂのみならず、セルの役割を果たす端末装置１００ａもアイドルモードとなることが想定される。本実施形態では、端末装置１００ａ及び端末装置１００ｂがアイドルモードになった場合でも基地局２００から端末装置１００ｂへページングを効率的に実行する。
【００５４】
基地局２００から端末装置１００ｂへページングを効率的に実行するために、本実施形態に係る通信システム１は「代理ページング受信（Proxy paging reception）」という処理を実行する。この代理ページング受信は、基地局２００からスレーブ端末である端末装置１００ｂに向けて送られるページング情報を、マスタ端末である端末装置１００ａが一括して受信するものである。端末装置１００ｂに向けて送られるページング情報を受信した端末装置１００ａは、端末装置１００ｂに対するページング処理を実行する。
【００５５】
本実施形態に係る通信システム１は、代理ページング受信の仕組みを導入することで、端末装置１００ａ及び端末装置１００ｂがアイドルモードになった場合でも基地局２００から端末装置１００ｂへページングを効率的に実行することが可能になる。代理ページング受信の仕組みの詳細については、後に詳述する。
【００５６】
以上、図７を用いて本開示の実施形態に係る通信システム１の概略的な構成の一例を説明した。続いて、本開示の実施形態に係る端末装置１００ａ及び端末装置１００ｂ（これらを総称する場合は端末装置１００とも称する）の構成例について説明する。
【００５７】
（１．２．２．端末装置の構成例）
図８は、本開示の実施形態に係る端末装置１００の構成の一例を示すブロック図である。図８を参照すると、端末装置１００は、アンテナ部１１０、無線通信部１２０、記憶部１３０及び処理部１４０を備える。
【００５８】
（アンテナ部１１０）
アンテナ部１１０は、無線通信部１２０により出力される信号を電波として空間に放射する。また、アンテナ部１１０は、空間の電波を信号に変換し、当該信号を無線通信部１２０へ出力する。
【００５９】
（無線通信部１２０）
無線通信部１２０は、信号を送受信する。例えば、無線通信部１２０は、基地局からのダウンリンク信号を受信し、基地局へのアップリンク信号を送信する。
【００６０】
（記憶部１３０）
記憶部１３０は、端末装置１００の動作のためのプログラム及びデータを一時的にまたは恒久的に記憶する。本実施形態では、端末装置１００がマスタ端末である場合は、記憶部１３０は、スレーブ端末のリストを記憶する。記憶部１３０に記憶されているスレーブ端末のリストは制御部１４３による処理、例えば、後述するスレーブ端末向けのページングタイミングの規定処理に用いられうる。
【００６１】
（処理部１４０）
処理部１４０は、端末装置１００の様々な機能を提供する。処理部１４０は、情報取得部１４１及び制御部１４３を含む。なお、処理部１４０は、これらの構成要素以外の他の構成要素をさらに含み得る。即ち、処理部１４０は、これらの構成要素の動作以外の動作も行い得る。
【００６２】
（情報取得部１４１）
情報取得部１４１は、アンテナ部１１０が受信した電波から得られた信号から、種々の情報を取得する。本実施形態では、端末装置１００がマスタ端末である場合は、情報取得部１４１は、基地局２００から送られてくる、自装置向けのページング信号、及び、スレーブ端末向けのページング信号を取得する。また端末装置１００がスレーブ端末である場合は、情報取得部１４１は、基地局２００またはマスタ端末から送られてくる、スレーブ端末向けのページング信号を取得する。
【００６３】
（制御部１４３）
制御部１４３は、端末装置１００の動作を制御するものである。特に本実施形態では、制御部１４３は、端末装置１００がマスタ端末である場合は、基地局２００との間のページング処理、または、スレーブ端末との間のページング処理を実行する。また制御部１４３は、端末装置１００がスレーブ端末である場合は、端末装置１００ａとの間のページング処理、または、マスタ端末から送られてくるスレーブ端末向けのページング信号に基づいたマスタ端末との間のページング処理を実行する。制御部１４３は、例えば、アイドルモードである場合に、ＤＲＸ動作を行い、ＤＲＸ動作によって、基地局２００（端末装置１００がスレーブ端末である場合は、端末装置１００ａ）から送信されるページングメッセ−ジを受信する。
【００６４】
端末装置１００がマスタ端末である場合、制御部１４３は、スレーブ端末向けのページングタイミングを規定する処理を実行する。既存のページング処理では、端末のＩＤをベースにページングファイルを特定していた。しかし、スレーブ端末向けのページング処理に、この既存のページング処理の仕組みを流用すると、マスタ端末もスレーブ端末も、それぞればらばらのページングファイルを割り当ててしまい、効率が悪い。特に、代理ページング受信をマスタ端末で行う場合、マスタ端末は、スレーブ端末の分のページングメッセージも読む必要があり、スレーブ端末の分のページングメッセージを一括して受信できるような効率的な仕組みが求められる。
【００６５】
そこで本実施形態では、マスタ端末に所属するスレーブ端末向けのページングタイミング（ＰＦ／ＰＯ）を新たに規定し、制御部１４３は、マスタ端末に所属するスレーブ端末向けのページングタイミングを決定する。制御部１４３は、例えば全てのスレーブ端末について同じページングタイミングとしてもよく、全てのスレーブ端末についてＰＦは同じにするがＰＯを分けるようにしてもよく、全てのスレーブ端末でＰＦを分けるようにしても良い。制御部１４３が、マスタ端末に所属するスレーブ端末向けのページングタイミングを決定することで、マスタ端末である端末装置１００は、スレーブ端末に対するページングを効率的に実行することが可能になる。なお、マスタ端末に所属するスレーブ端末向けのページングタイミングは、マスタ端末である端末装置１００でなく、基地局２００が決定しても良い。マスタ端末に所属するスレーブ端末向けのページングタイミングを基地局２００が決定する場合には。制御部１４３は、マスタ端末を識別する情報及びスレーブ端末を識別する情報を基地局２００へ送信する。
【００６６】
以上、本開示の一実施形態に係る端末装置１００の機能構成例について説明した。次に、本開示の一実施形態に係る基地局２００の機能構成例について説明する。
【００６７】
（１．２．３．基地局の構成例）
図９は、本開示の一実施形態に係る基地局２００の機能構成例を示すブロック図である。図９に示したように、本開示の一実施形態に係る基地局２００は、アンテナ部２１０と、無線通信部２２０と、ネットワーク通信部２３０と、記憶部２４０と、処理部２５０と、を備える。
【００６８】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【００６９】
（無線通信部２２０）
無線通信部２２０は、信号を送受信する。例えば、無線通信部２２０は、端末装置へのダウンリンク信号を送信し、端末装置からのアップリンク信号を受信する。
【００７０】
（ネットワーク通信部２３０）
ネットワーク通信部２３０は、情報を送受信する。例えば、ネットワーク通信部２３０は、他のノードへの情報を送信し、他のノードからの情報を受信する。例えば、上記他のノードは、コアネットワーク及び他の基地局を含む。一例として、上記他のノードは、制御エンティティ３００を含む。
【００７１】
（記憶部２４０）
記憶部２４０は、基地局２００の動作のためのプログラム及びデータを一時的にまたは恒久的に記憶する。
【００７２】
（処理部２５０）
処理部２５０は、基地局２００の様々な機能を提供する。処理部２５０は、情報取得部２５１及び制御部２５３を含む。なお、処理部２５０は、これらの構成要素以外の他の構成要素をさらに含み得る。即ち、処理部２５０は、これらの構成要素の動作以外の動作も行い得る。
【００７３】
（情報取得部２５１）
情報取得部２５１は、基地局２００の動作のための情報やプログラム、また、他のノードから受信した情報を取得する。情報取得部２５１は、基地局２００の動作のための情報やプログラムを記憶部２４０から取得しうる。本実施形態では、情報取得部２５１は、制御エンティティ３００から送られてくるＳ１ＡＰ：Ｐａｇｉｎｇのためのページング信号を取得する。
【００７４】
（制御部２５３）
制御部２５３は、基地局２００の動作を制御する。本実施形態では、制御部２５３は、端末装置へのページングを行う。例えば、制御部２５３は、各ページング機会に送信されるページングメッセージを生成する。各ページング機会に送信されるページングメッセージは、ページング機会に対応する端末装置向けのページングメッセージである。また、制御部２５３は、無線通信部２２０を介して、各ページング機会に、生成されたページングメッセージを送信する。制御部２５３は、例えば端末装置１００ａに対してＲＲＣ：Ｐａｇｉｎｇのためのページング信号を生成して、ＲＲＣ：Ｐａｇｉｎｇのためのページング信号を、無線通信部２２０を介してアンテナ部２１０から出力させる。
【００７５】
また例えば、制御部２５３は、端末装置によるシステム情報の再取得が必要な場合に、当該端末装置へのページングを行う。また、制御部２５３は、他の装置からの要求に応じて、端末装置へのページングを行う。例えば、当該他の装置は、コアネットワークノード（例えば、制御エンティティ３００）であり、上記要求は、上記他の装置からのページングメッセージ（例えば、Ｓ１ＡＰページングメッセージ）である。
【００７６】
制御部２５３は、マスタ端末に所属するスレーブ端末向けのページングタイミングを、上述の端末装置１００の制御部１４３が決定したタイミングとしてもよい。また、制御部２５３は、上述の端末装置１００の制御部１４３が実行する、マスタ端末に所属するスレーブ端末向けのページングタイミングの決定処理を実行しても良い。制御部２５３が、マスタ端末に所属するスレーブ端末向けのページングタイミングを決定する際には、マスタ端末である端末装置１００から、マスタ端末を識別する情報及びスレーブ端末を識別する情報を情報取得部２５１で取得しても良い。
【００７７】
以上、本開示の一実施形態に係る基地局２００の機能構成例について説明した。続いて、本開示の一実施形態に係る制御エンティティ３００の機能構成例について説明する。
【００７８】
（１．２．４．制御エンティティの構成例）
図１０は、本開示の一実施形態に係る制御エンティティ３００の機能構成例を示すブロック図である。図１０に示したように、本開示の一実施形態に係る制御エンティティ３００は、通信部３１０と、記憶部３２０と、処理部３３０と、を備える。
【００７９】
（通信部３１０）
通信部３１０は、情報を送受信する。例えば、通信部３１０は、他のノードへの情報を送信し、他のノードからの情報を受信する。例えば、上記他のノードは、コアネットワーク及び基地局を含む。一例として、上記他のノードは、基地局２００を含む。
【００８０】
（記憶部３２０）
記憶部３２０は、制御エンティティ３００の動作のためのプログラム及びデータを一時的にまたは恒久的に記憶する。
【００８１】
（処理部３３０）
処理部３３０は、制御エンティティ３００の様々な機能を提供する。処理部３３０は、情報取得部３３１及び制御部３３３を含む。なお、処理部３３０は、これらの構成要素以外の他の構成要素をさらに含み得る。即ち、処理部３３０は、これらの構成要素の動作以外の動作も行い得る。
【００８２】
（情報取得部３３１）
情報取得部３３１は、制御エンティティ３００の動作のための情報や、他のノードから受信した情報を取得する。情報取得部３３１は、制御エンティティ３００の動作のための情報やプログラムを記憶部３２０から取得しうる。
【００８３】
（制御部３３３）
制御部３３３は、制御エンティティ３００の動作を制御する。制御部３３３は、情報取得部３３１が取得した情報に基づいて動作しうる。本実施形態では、制御部３３３は、基地局２００に対してＳ１ＡＰ：Ｐａｇｉｎｇのためのページング信号を生成して、Ｓ１ＡＰ：Ｐａｇｉｎｇのためのページング信号を、通信部３１０から所定のタイミングで出力させる。
【００８４】
以上、本開示の一実施形態に係る制御エンティティ３００の機能構成例について説明した。続いて、本開示の一実施形態に係る通信システム１の動作例について説明する。
【００８５】
（１．３．動作例）
図１１は、本開示の一実施形態に係る通信システム１において、ダウンリンクの場合に想定される、ページングの宛先及びマスタ端末とスレーブ端末のステータスの組み合わせを示す説明図である。図７のように通信システム１が構成されている場合、ダウンリンクの場合に想定される、ページングの宛先及びマスタ端末とスレーブ端末のステータスの組み合わせは、図１１に示した通り５つある。
【００８６】
Ｃａｓｅ  １の、ページングの宛先がマスタ端末である場合は、既存のＬＴＥのページングプロセスが用いられる。従ってこのＣａｓｅ  １の処理は、この実施形態では説明の対象とはしない。
【００８７】
続いて、Ｃａｓｅ  ２〜４の、ページングの宛先がスレーブ端末である場合であるが、Ｃａｓｅ  ３で示した、マスタ端末がＩＤＬＥモードで、スレーブ端末が基地局とＲＲＣ  Ｃｏｎｎｅｃｔｅｄ（ＲＲＣ接続状態）であるケースは、ここでは説明の対象とはしない。スレーブ端末が基地局とＲＲＣ  Ｃｏｎｎｅｃｔｅｄである場合は、スレーブ端末が基地局と直接通信すれば良いからである。
【００８８】
従って、以下では、Ｃａｓｅ  ２の、マスタ端末とスレーブ端末の両方がＩＤＬＥモードの場合、Ｃａｓｅ  ４の、マスタ端末はＲＲＣ  Ｃｏｎｎｅｃｔｅｄでスレーブ端末がＩＤＬＥモードの場合、Ｃａｓｅ  ５の、マスタ端末とスレーブ端末の両方がＲＲＣ  Ｃｏｎｎｅｃｔｅｄの場合について検討する。
【００８９】
まず、Ｃａｓｅ  ２の、マスタ端末とスレーブ端末の両方がＩＤＬＥモードの場合において、ＩＤＬＥモードの状態のマスタ端末を経由して、ＩＤＬＥモードの状態のスレーブ端末を効率的にページングする仕組みについて説明する。
【００９０】
図１２は、本開示の一実施形態に係る通信システム１の動作例を示すシーケンス図である。図１２に示したのは、制御エンティティ３００から、ＩＤＬＥモードの状態の端末装置１００ｂ（スレーブ端末）へページングメッセージを送信し、コネクションを確立する様子を示す動作例である。以下、図１２を用いて本開示の一実施形態に係る通信システム１の動作例について説明する。
【００９１】
まず前提として、端末装置１００ａ（マスタ端末）及び端末装置１００ｂ（スレーブ端末）は、動作の開始時にはともにＩＤＬＥモードの状態にあることを想定している。
【００９２】
制御エンティティ３００は、対象のＴＡの基地局２００に対してＳ１ＡＰ：Ｐａｇｉｎｇメッセージを送信する（ステップＳ１０１）。ステップＳ１０１の処理は、例えば制御部３３３が実行しうる。
【００９３】
制御エンティティ３００からのＳ１ＡＰ：Ｐａｇｉｎｇメッセージを受信した基地局２００は、受信したＳ１ＡＰ：Ｐａｇｉｎｇメッセージをベースに、ＲＲＣ：Ｐａｇｉｎｇメッセージを端末装置１００ａに通知する（ステップＳ１０２）。ステップＳ１０２の処理は、例えば制御部２５３が実行しうる。
【００９４】
端末装置１００ａは、基地局２００からのＲＲＣ：Ｐａｇｉｎｇメッセージを、アンテナ部１１０を通じて無線通信部１２０で受信すると（ステップＳ１０３）、このＲＲＣ：Ｐａｇｉｎｇメッセージに含まれている端末ＩＤを確認し、対象のＩＤをサーチする（ステップＳ１０４）。ステップＳ１０４の処理は、例えば制御部１４３が実行しうる。ステップＳ１０４の、対象のＩＤをサーチする処理は、端末装置１００ａが予め保持しているスレーブ端末のリストが用いられる。
【００９５】
端末装置１００ａは、所持するスレーブ端末のリスト内に、ＲＲＣ：Ｐａｇｉｎｇメッセージに含まれている端末ＩＤと同じＩＤが見つかれば、端末装置１００ｂとの間のコネクションを確立する（ステップＳ１０５）と共に、基地局２００との間のコネクションを確立する（ステップＳ１０６）。ステップＳ１０５、Ｓ１０６の処理は、例えば制御部１４３が実行しうる。このステップＳ１０５とステップＳ１０６の順番は、逆でも良い。端末装置１００ａが端末装置１００ｂとの間のコネクションを確立することで、端末装置１００ｂはＩＤＬＥモードの状態から非ＩＤＬＥモードの状態に移行する。
【００９６】
端末装置１００ａから、ＩＤＬＥモードの状態にある端末装置１００ｂを非ＩＤＬＥモードの状態に移行させる方法には、例えば以下の方法がある。
【００９７】
例えば、端末装置１００ａと端末装置１００ｂとの間に、新たにページングの仕組みを設ける。本実施形態では、端末装置１００ａと端末装置１００ｂとの間のページングを「ＡＬ（Ａｃｃｅｓｓ  Ｌｉｎｋ）  ｐａｇｉｎｇ」と称する。このＡＬ  ｐａｇｉｎｇは、既存のページング処理を適用して端末装置１００ａから端末装置１００ｂへ通知するものである。このＡＬ  ｐａｇｉｎｇによって、端末装置１００ａから、ＩＤＬＥモードの状態にある端末装置１００ｂを非ＩＤＬＥモードの状態に移行させるようにしてもよい。
【００９８】
また、マスタ端末を経由したスレーブ端末へのページングは、マスタ−スレーブ間のページング時間を考慮しなければならず、既存のタイマＴ３４１３では時間が不足する可能性がある。
【００９９】
そこで本実施形態では、新たに、マスタ端末に属するスレーブ端末向けのタイマを規定する。このタイマは、既存のタイマＴ３４１３の時間に加えて、マスタ−スレーブ間のコネクションセットアップ時間を考慮した時間が規定される。
【０１００】
端末装置１００ａが、端末装置１００ｂ及び基地局２００との間のコネクションを確立すると、基地局２００は、制御エンティティ３００に対してレスポンスメッセージを返信する（ステップＳ１０７）。このステップＳ１０７のレスポンスメッセージの返信は、例えば制御部２５３が実行しうる。ステップＳ１０７のレスポンスメッセージの返信により、基地局２００と、端末装置１００ａ及び端末装置１００ｂとのコネクションが確立される（ステップＳ１０８）。
【０１０１】
なお、ステップＳ１０４の対象のＩＤのサーチ処理で、所持するスレーブ端末のリスト内に、ＲＲＣ：Ｐａｇｉｎｇメッセージに含まれている端末ＩＤと同じＩＤが見つからなければ、端末装置１００ａは、その後の処理は行わない。
【０１０２】
本開示の一実施形態に係る通信システム１は、上述した一連の動作を実行することで、マスタ端末とスレーブ端末の両方がＩＤＬＥモードの場合に、スレーブ端末向けに送られてくるページングメッセージをマスタ端末が一旦受信し、マスタ端末からスレーブ端末を非ＩＤＬＥモードの状態に移行させることで、制御エンティティ３００からスレーブ端末へのページング処理を行うことが出来る。
【０１０３】
既存のページング処理では、端末のＩＤをベースにページングファイルを特定していた。しかし、スレーブ端末向けのページング処理に、この既存のページング処理の仕組みを流用すると、マスタ端末もスレーブ端末も、それぞればらばらのページングファイルを割り当ててしまい、効率が悪い。特に、代理ページング受信をマスタ端末で行う場合、マスタ端末は、スレーブ端末の分のページングメッセージも読む必要があり、スレーブ端末の分のページングメッセージを一括して受信できるような効率的な仕組みが求められる。
【０１０４】
そこで本実施形態では、マスタ端末に所属するスレーブ端末向けのページングタイミング（ＰＦ／ＰＯ）を新たに規定する。マスタ端末に所属するスレーブ端末向けのページングタイミングを「ＰＰＲＴ（Ｐｒｏｘｙ  ｐａｇｉｎｇ  ｒｅｃｅｐｔｉｏｎ  Ｔｉｍｉｎｇ）」と称する。
【０１０５】
図１３は、本開示の一実施形態に係る通信システム１の動作例を示すシーケンス図である。図１３に示したのは、基地局２００から端末装置１００ｂへ向けてページングメッセージを送信する際にＰＰＲＴを設定する様子を示す動作例である。以下、図１３を用いて本開示の一実施形態に係る通信システム１の動作例について説明する。
【０１０６】
端末装置１００ｂは、端末装置１００ａに所属する際に、ＩＭＳＩまたはＵＥ＿ＩＤの情報を端末装置１００ａに通知する（ステップＳ１１１）。ステップＳ１１１の処理は、例えば制御部１４３が実行しうる。
【０１０７】
端末装置１００ａは、端末装置１００ｂが端末装置１００ａのネットワークに所属し、端末装置１００ｂからＩＭＳＩまたはＵＥ＿ＩＤの情報を受信すると、受信した情報を用いてＰＰＲＴを決定する（ステップＳ１１２）。ステップＳ１１２の処理は、例えば制御部１４３が実行しうる。代理ページング受信を端末装置１００ａが実行する場合、端末装置１００ａは、ステップＳ１１２で決定したＰＰＲＴをベースに端末装置１００ｂに向けたれたページングメッセージも基地局２００から一括して受信する。
【０１０８】
上記ステップＳ１１２におけるＰＰＲＴの決定処理について説明する。例えば、マスタ端末のＩＤを基準にしてＰＰＲＴを決定する場合、端末装置１００ａは、全てのスレーブ端末について同じページングタイミング（ＰＦ／ＰＯ）にしてもよく、全てのスレーブ端末について同じＰＦにするが、ＰＯは分けるようにしてもよく、スレーブ端末ごとに異なるＰＦにしてもよい。
【０１０９】
端末装置１００ａは、全てのスレーブ端末について同じページングタイミング（ＰＦ／ＰＯ）にする場合、例えばマスタ端末である端末装置１００ａのＰＦから任意のオフセットの後のＰＦであって、端末装置１００ａと同じサブフレームをページングタイミングに決定する。スレーブ端末のページングタイミングは、マスタ端末である端末装置１００ａのＰＦの直後が望ましい。
【０１１０】
端末装置１００ａは、全てのスレーブ端末について同じＰＦにするが、ＰＯは分ける場合、例えば、例えばマスタ端末である端末装置１００ａのＰＦから任意のオフセットの後のサブフレームに決定する。そして端末装置１００ａは、全てのスレーブ端末について同じＰＦにするが、ＰＯは分ける場合、ＰＯはスレーブ端末のＩＤ（Ｓｌａｖｅ  ＩＤ）で分離する。例えば端末装置１００ａは、スレーブ端末のＰＯを以下の数式のように決定しても良い。
ＰＯ＝（Ｓｌａｖｅ  ＩＤ）  ｍｏｄ  （ＰＯ候補数）
【０１１１】
端末装置１００ａは、スレーブ端末ごとに異なるＰＦにする場合、例えばスレーブ端末向けにＰＦのプールを割り当てる。端末装置１００ａは、スレーブ端末のＩＤを用いて算出したオフセット値を用いてＰＦのプール内の割り当てを行う。
【０１１２】
例えば端末装置１００ａは、マスタ端末である端末装置１００ａのＰＦの直後の数サブフレーム間にプールを割り当て、その割り当てたプール内で、スレーブ端末のＰＦを割り当てる。端末装置１００ａは、スレーブ端末のＰＦを以下の数式のように決定しても良い。
ＰＦ＝（Ｓｌａｖｅ  ＩＤ）  ｍｏｄ  （プールのサイズ）
【０１１３】
なお、上述した方法において、端末装置１００ａ、いずれもマスタ端末である端末装置１００ａのＰＦの周期を使用してＰＰＲＴを決定するものとする。
【０１１４】
端末装置１００ａは、ステップＳ１１２でＰＰＲＴを決定すると、基地局２００でページングメッセージの送信タイミングの更新を行って貰うために、基地局２０へ決定したＰＰＲＴを通知する（ステップＳ１１３）。ステップＳ１１３の処理は、例えば制御部１４３が実行しうる。
【０１１５】
基地局２００は、端末装置１００ａからＰＰＲＴを受信すると、受信したＰＰＲＴに基づいてページングメッセージの送信タイミングを更新する（ステップＳ１１４）。ステップＳ１１４の処理は、例えば制御部２５３が実行しうる。そして、基地局２００は、端末装置１００ａ、１００ｂに対してページング動作を実行する（ステップＳ１１５）。ステップＳ１１５の処理は、例えば制御部２５３が実行しうる。
【０１１６】
マスタ端末である端末装置１００ａは、スレーブ端末である端末装置１００ｂから取得したＩＭＳＩまたはＵＥ＿ＩＤの情報を用いて、マスタ端末に所属するスレーブ端末向けのページングタイミングを決定し、その決定したページングタイミングを基地局２００に通知することで、スレーブ端末の分のページングメッセージを一括して受信することができる。
【０１１７】
上述した例では、マスタ端末である端末装置１００ａがＰＰＲＴを決定していたが、本開示は係る例に限定されるものでは無い。ＰＰＲＴは基地局２００が決定しても良い。基地局２００がＰＰＲＴを決定する場合、端末装置１００ａは、ＰＰＲＴを決定せず、スレーブ端末である端末装置１００ｂから取得したＩＭＳＩまたはＵＥ＿ＩＤの情報と、マスタ端末である端末装置１００ａのＩＭＳＩまたはＵＥ＿ＩＤの情報を基地局２００に通知しても良い。基地局２００は、マスタ端末である端末装置１００ａのＩＭＳＩまたはＵＥ＿ＩＤの情報と、スレーブ端末である端末装置１００ｂのＩＭＳＩまたはＵＥ＿ＩＤの情報と、を用いて、ＰＰＲＴを決定する。
【０１１８】
図１１のＣａｓｅ  ４では、基地局とＲＲＣ  Ｃｏｎｎｅｃｔｅｄ状態のマスタ端末が、ＩＤＬＥモードの状態のスレーブ端末向けのページング信号を代わりに受信する必要がある。そのため、基地局とＲＲＣ  Ｃｏｎｎｅｃｔｅｄ状態のマスタ端末が、スレーブ端末向けのページング情報を確実に入手することが望ましい。マスタ端末が、スレーブ端末向けのページング情報を確実に入手するための手法として、本実施形態では以下の２つの手法を提案する。
【０１１９】
（手法１）
最初に提案する手法は、マスタ端末向けのページング情報の中にスレーブ端末向けのページング情報を新たに定義する手法である。また、マスタ端末がスレーブ端末向けのページング情報を確実に入手するための情報をＳ１ＡＰ：Ｐａｇｉｎｇメッセージの中にも定義する。マスタ端末向けのページング情報の中にスレーブ端末向けのページング情報を新たに定義することにより、マスタ端末は、受信したメッセージが、自身に向けたメッセージなのか、自身に属するスレーブ端末に対してのメッセージなのかどうかを確実に判断することができる。
【０１２０】
図１４は、ＬＴＥのプラットフォームにおいて既に規定されているＳ１ＡＰ：Ｐａｇｉｎｇメッセージの構造を示す説明図である。本実施形態ではこのＳ１ＡＰ：Ｐａｇｉｎｇメッセージに２つの情報を加える。１つはＳ１ＡＰ：Ｐａｇｉｎｇメッセージが基地局から直接送信されるものか、マスタ端末経由で送信されるものかを判定するためのパラメータであり、本実施形態では、そのパラメータを「UE virtual cell parameter」と称する。もう１つは、目標のスレーブ端末がいるであろうマスタ端末を識別するための情報（Virtual cell ID）のリストであり、本実施形態では、その情報のリストを「List
of UE virtual cell Identities」と称する。
【０１２１】
ＭＭＥ３００は、基地局２００に対して、上記「UE virtual cell parameter」及び上記「List of UE
virtual cell Identities」を付加したＳ１ＡＰ：Ｐａｇｉｎｇメッセージを送信する。
【０１２２】
図１５は、ＬＴＥのプラットフォームにおいて既に規定されているＲＲＣ：Ｐａｇｉｎｇメッセージの構造を示す説明図である。本実施形態ではこのＲＲＣ：Ｐａｇｉｎｇメッセージに２つの情報を加える。１つは上記「UE virtual cell parameter」であり、もう１つは上記「List
of UE virtual cell Identities」である。
【０１２３】
基地局２００は、端末装置１００ａに対して、上記「UE virtual cell parameter」及び上記「List of UE
virtual cell Identities」を付加したＲＲＣ：Ｐａｇｉｎｇメッセージを送信する。端末装置１００ａは、上記「UE virtual cell parameter」及び上記「List of UE
virtual cell Identities」が付加されたページングメッセージを受信することで、受信したものが自身に向けたメッセージなのか、自身に属するスレーブ端末に対してのメッセージなのかどうかを確実に判断することができる。
【０１２４】
なお、ＲＲＣ：ＰａｇｉｎｇメッセージではなくＢＨ：Ｐａｇｉｎｇメッセージに上記２つの情報が加えられてもよい。
【０１２５】
また、本実施形態では、端末装置１００ａと端末装置１００ｂとの間のページングであるＡＬ：ｐａｇｉｎｇメッセージを端末装置１００ａが受信するために必要なパラメータを、以下の通り規定する。なお端末装置１００ａは、ＡＬ：ｐａｇｉｎｇメッセージは、ＲＲＣ：Ｐａｇｉｎｇメッセージを転送することで対応する。
【０１２６】
−Paging
Frame update
書き換え後のＰＦの値、またはオフセット値を提供する。
−マスタ端末のページング情報
スレーブ端末のベースとなる情報であり、例えばマスタ端末である端末装置１００ａのＰＦや、端末装置１００ａの端末ＩＤ等が該当する。
【０１２７】
このように、マスタ端末向けのページング情報の中にスレーブ端末向けのページング情報を新たに定義することで、マスタ端末である端末装置１００ａは、受信したメッセージが自身に向けたメッセージなのか、自身に属するスレーブ端末に対してのメッセージなのかどうかを確実に判断することができる。
【０１２８】
（手法２）
次に提案する手法は、ページングとは異なる方法で、スレーブ端末向けのページング情報をマスタ端末に通知する手法である。基地局とＲＲＣ  Ｃｏｎｎｅｃｔｅｄ状態のマスタ端末は、ページング情報をＰＯの度に確実にデコードしに行くとは限らない。その場合、基地局とＲＲＣ  Ｃｏｎｎｅｃｔｅｄ状態のマスタ端末に対しては、ページングとは異なる方法でスレーブ端末向けのページング情報を通知する仕組みが望ましい。通知する方法としては、例えばＰＤＣＣＨ経由、ＰＤＳＣＨ経由等があり得る。
【０１２９】
基地局とＲＲＣ  Ｃｏｎｎｅｃｔｅｄ状態のマスタ端末に対しては、ページングとは異なる方法でスレーブ端末向けのページング情報を通知することで、マスタ端末は、自身に属するスレーブ端末に対してのメッセージを確実に取得することが可能になる。
【０１３０】
なお、上記２つの手法は、図１１のＣａｓｅ  ４の場合だけでなく、Ｃａｓｅ  ２の場合、すなわちマスタ端末もスレーブ端末もＩＤＬＥモードの状態にいる場合にも適用可能である。すなわち、ＩＤＬＥモードの状態にある端末装置１００ａが基地局２００からのページングを受信してＲＲＣ  Ｃｏｎｎｅｃｔｅｄ状態になると、図１１のＣａｓｅ  ４の場合に移行するので、端末装置１００ａは、同様にして端末装置１００ｂ向けのページングメッセージを受信することが出来る。
【０１３１】
＜２．応用例＞
本開示に係る技術は、様々な製品へ応用可能である。例えば、制御エンティティ３００は、タワーサーバ、ラックサーバ、又はブレードサーバなどのいずれかの種類のサーバとして実現されてもよい。また、制御エンティティ３００は、サーバに搭載される制御モジュール（例えば、１つのダイで構成される集積回路モジュール、又はブレードサーバのスロットに挿入されるカード若しくはブレード）であってもよい。
【０１３２】
また、例えば、基地局２００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局２００は、ＮｏｄｅＢ又はＢＴＳ（Base  Transceiver  Station）などの他の種類の基地局として実現されてもよい。基地局２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局２００として動作してもよい。
【０１３３】
また、例えば、端末装置１００ａ、１００ｂは、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置１００ａ、１００ｂは、Ｍ２Ｍ（Machine  To  Machine）通信を行う端末（ＭＴＣ（Machine  Type  Communication）端末ともいう）として実現されてもよい。さらに、端末装置１００ａ、１００ｂは、これら端末に搭載される無線通信モジュール（例えば、１つのダイで構成される集積回路モジュール）であってもよい。
【０１３４】
［２−１．制御エンティティに関する応用例］
図１６は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０１３５】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０１３６】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０１３７】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０１３８】
図１６に示したサーバ７００において、図１０を参照して説明した処理部３３０に含まれる１つ以上の構成要素（情報取得部３３１及び／又は制御部３３３）は、プロセッサ７０１において実装されてもよい。一例として、プロセッサを上記１つ以上の構成要素として機能させるためのプログラム（換言すると、プロセッサに上記１つ以上の構成要素の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記１つ以上の構成要素が実装されてもよい。この場合に、上記モジュールは、プロセッサを上記１つ以上の構成要素として機能させるためのプログラムをメモリ７０２に記憶し、当該プログラムをプロセッサ７０１により実行してもよい。以上のように、上記１つ以上の構成要素を備える装置としてサーバ７００又は上記モジュールが提供されてもよく、プロセッサを上記１つ以上の構成要素として機能させるための上記プログラムが提供されてもよい。また、上記プログラムを記録した読み取り可能な記録媒体が提供されてもよい。
【０１３９】
［２−２．基地局に関する応用例］
（第１の応用例）
図１７は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１４０】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１７に示したように複数のアンテナ８１０を有し、複数のアンテナ８１０は、例えばｅＮＢ８００が使用する複数の周波数帯域にそれぞれ対応してもよい。なお、図１７にはｅＮＢ８００が複数のアンテナ８１０を有する例を示したが、ｅＮＢ８００は単一のアンテナ８１０を有してもよい。
【０１４１】
基地局装置８２０は、コントローラ８２１、メモリ８２２、ネットワークインタフェース８２３及び無線通信インタフェース８２５を備える。
【０１４２】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１４３】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１４４】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１４５】
無線通信インタフェース８２５は、図１７に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１７に示したように複数のＲＦ回路８２７を含み、複数のＲＦ回路８２７は、例えば複数のアンテナ素子にそれぞれ対応してもよい。なお、図１７には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１４６】
（第２の応用例）
図１８は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１４７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１８に示したように複数のアンテナ８４０を有し、複数のアンテナ８４０は、例えばｅＮＢ８３０が使用する複数の周波数帯域にそれぞれ対応してもよい。なお、図１８にはｅＮＢ８３０が複数のアンテナ８４０を有する例を示したが、ｅＮＢ８３０は単一のアンテナ８４０を有してもよい。
【０１４８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１７を参照して説明したコントローラ８２１、メモリ８２２及びネットワークインタフェース８２３と同様のものである。
【０１４９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１７を参照して説明したＢＢプロセッサ８２６と同様のものである。無線通信インタフェース８５５は、図１８に示したように複数のＢＢプロセッサ８５６を含み、複数のＢＢプロセッサ８５６は、例えばｅＮＢ８３０が使用する複数の周波数帯域にそれぞれ対応してもよい。なお、図１８には無線通信インタフェース８５５が複数のＢＢプロセッサ８５６を含む例を示したが、無線通信インタフェース８５５は単一のＢＢプロセッサ８５６を含んでもよい。
【０１５０】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１５１】
また、ＲＲＨ８６０は、接続インタフェース８６１及び無線通信インタフェース８６３を備える。
【０１５２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１５３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１８に示したように複数のＲＦ回路８６４を含み、複数のＲＦ回路８６４は、例えば複数のアンテナ素子にそれぞれ対応してもよい。なお、図１８には無線通信インタフェース８６３が複数のＲＦ回路８６４を含む例を示したが、無線通信インタフェース８６３は単一のＲＦ回路８６４を含んでもよい。
【０１５４】
図１７及び図１８に示したｅＮＢ８００及びｅＮＢ８３０において、図９を参照して説明した処理部２５０に含まれる１つ以上の構成要素（情報取得部２５１及び／又は制御部２５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１５５】
また、図１８に示したｅＮＢ８３０において、例えば、図９を参照して説明した無線通信部２２０は、無線通信インタフェース８６３（例えば、ＲＦ回路８６４）において実装されてもよい。また、アンテナ部２１０は、アンテナ８４０において実装されてもよい。また、ネットワーク通信部２３０は、コントローラ８５１及び／又はネットワークインタフェース８５３において実装されてもよい。
【０１５６】
［２−３．端末装置に関する応用例］
（第１の応用例）
図１９は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１５７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１５８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１５９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１９に示したように複数のＢＢプロセッサ９１３及び複数のＲＦ回路９１４を含んでもよい。なお、図１９には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１６０】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１６１】
アンテナスイッチ９１５の各々は、無線通信インタフェース９１２に含まれる複数の回路（例えば、異なる無線通信方式のための回路）の間でアンテナ９１６の接続先を切り替える。
【０１６２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１９に示したように複数のアンテナ９１６を有してもよい。なお、図１９にはスマートフォン９００が複数のアンテナ９１６を有する例を示したが、スマートフォン９００は単一のアンテナ９１６を有してもよい。
【０１６３】
さらに、スマートフォン９００は、無線通信方式ごとにアンテナ９１６を備えてもよい。その場合に、アンテナスイッチ９１５は、スマートフォン９００の構成から省略されてもよい。
【０１６４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１９に示したスマートフォン９００の各ブロックへ電力を供給する。補助コントローラ９１９は、例えば、スリープモードにおいて、スマートフォン９００の必要最低限の機能を動作させる。
【０１６５】
図１９に示したスマートフォン９００において、図８を参照して説明した処理部１４０に含まれる１つ以上の構成要素（情報取得部１４１及び／又は制御部１４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１６６】
また、図１９に示したスマートフォン９００において、例えば、図８を参照して説明した無線通信部１２０は、無線通信インタフェース９１２（例えば、ＲＦ回路９１４）において実装されてもよい。また、アンテナ部１１０は、アンテナ９１６において実装されてもよい。
【０１６７】
（第２の応用例）
図２０は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１６８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１６９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１７０】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１７１】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２０に示したように複数のＢＢプロセッサ９３４及び複数のＲＦ回路９３５を含んでもよい。なお、図２０には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１７２】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１７３】
アンテナスイッチ９３６の各々は、無線通信インタフェース９３３に含まれる複数の回路（例えば、異なる無線通信方式のための回路）の間でアンテナ９３７の接続先を切り替える。
【０１７４】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２０に示したように複数のアンテナ９３７を有してもよい。なお、図２０はカーナビゲーション装置９２０が複数のアンテナ９３７を有する例を示したが、カーナビゲーション装置９２０は単一のアンテナ９３７を有してもよい。
【０１７５】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１７６】
バッテリー９３８は、図中に破線で部分的に示した給電ラインを介して、図２０に示したカーナビゲーション装置９２０の各ブロックへ電力を供給する。また、バッテリー９３８は、車両側から給電される電力を蓄積する。
【０１７７】
図２０に示したカーナビゲーション装置９２０において、図８を参照して説明した処理部１４０に含まれる１つ以上の構成要素（情報取得部１４１及び／又は制御部１４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサ上記１つ以上の構成要素として機能させるためのプログラムが提供されてもよい。また、上記プログラムを記録した読み取り可能な記録媒体が提供されてもよい。
【０１７８】
また、図２０に示したカーナビゲーション装置９２０において、例えば、図８を参照して説明した無線通信部１２０は、無線通信インタフェース９３３（例えば、ＲＦ回路９３５）において実装されてもよい。また、アンテナ部１１０は、アンテナ９３７において実装されてもよい。
【０１７９】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、処理部１４０に含まれる上記１つ以上の構成要素を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０１８０】
＜３．まとめ＞
以上説明したように本開示の一実施形態によれば、端末装置がマスタ端末としてセルのように振る舞うシステムにおいて、ページングの対象となる端末装置（スレーブ端末）へ効果的にページングを行うことが可能な端末装置１００ａを提供することが出来る。
【０１８１】
以上説明したように本開示の一実施形態によれば、基地局からページングの対象となる端末装置（スレーブ端末）へページングを行う際に、セルのように振る舞う端末装置（マスタ端末）を介して効果的なページングの実行が可能になる。
【０１８２】
また本開示の一実施形態によれば、基地局からページングの対象となる端末装置（スレーブ端末）へページングを行う際に、マスタ端末が、スレーブ端末へのページングのタイミングを、基地局からマスタ端末へのページングのタイミングとは独立して規定する。マスタ端末が、スレーブ端末へのページングのタイミングを、基地局からマスタ端末へのページングのタイミングとは独立して規定することで、マスタ端末は、スレーブ端末へのページングを効率的に実行することが出来る。
【０１８３】
また本開示の一実施形態によれば、制御エンティティ３００は、スレーブ端末へ向けたページングである旨を示す情報を予め付加してページング処理を実行する。スレーブ端末へ向けたページングである旨を示す情報は予め付加されていることで、基地局からページングの対象となる端末装置（スレーブ端末）へページングを行う際に、マスタ端末が、スレーブ端末へのページングを確実に受信して、スレーブ端末へページングを行えるようにすることが出来る。
【０１８４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１８５】
例えば、制御エンティティと基地局とが別々の装置である例を説明したが、本開示は係る例に限定されない。例えば、基地局の中に制御エンティティが実装されてもよい。
【０１８６】
また、例えば、本開示の実施形態では、通信システムがＬＴＥ又はＬＴＥ−Ａに準拠する例を説明したが、本開示は係る例に限定されない。例えば、通信システムは、別の通信規格に準拠したシステムであってもよい。
【０１８７】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０１８８】
また、本明細書の装置（例えば、端末装置、基地局もしくは制御エンティティ、又はそのモジュール）に備えられるプロセッサ（例えば、ＣＰＵ、ＤＳＰなど）を上記装置として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の１つ以上の構成要素（例えば、情報取得部及び／又は制御部など）の動作を含む方法も、本開示に係る技術に含まれる。
【０１８９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１９０】
なお、以下のような構成も本開示の技術的範囲に属する。
（１）
基地局からページングメッセージを取得する取得部と、
前記取得部が取得した前記ページングメッセージに基づいて、自装置を介して前記基地局との無線通信を行う１以上の他の端末装置に対するページングを実行する制御部と、
を備える、端末装置。
（２）
前記取得部は、前記他の端末装置に向けたページングメッセージが含まれるページングメッセージを取得する、前記（１）に記載の端末装置。
（３）
前記制御部は、前記他の端末装置に対するページングのタイミングを、前記基地局からのページングとは独自に規定する、前記（１）または（２）に記載の端末装置。
（４）
前記制御部は、全ての前記他の端末装置に対して同一のページングフレームでページングを実行するよう規定する、前記（３）に記載の端末装置。
（５）
前記制御部は、全ての前記他の端末装置に対して同一のページングフレーム及びサブフレームでページングを実行するよう規定する、前記（３）に記載の端末装置。
（６）
前記制御部は、前記他の端末装置のそれぞれに対して異なるページングフレームでページングを実行するよう規定する、前記（３）に記載の端末装置。
（７）
前記制御部は、前記他の端末装置に対するページングの間隔を、前記基地局からのページングの間隔より長くなるよう規定する、前記（３）〜（６）のいずれかに記載の端末装置。
（８）
前記制御部は、自装置を識別する情報及び前記他の端末装置を識別する情報を前記基地局に送信する、前記（１）〜（７）のいずれかに記載の端末装置。
（９）
第１の端末装置及び前記第１の端末装置を介して無線通信を行う第２の端末装置に対するページングを実行する制御部と、
前記制御部による前記第２の端末装置に対するページングのタイミングを前記第１の端末装置に対するページングのタイミングとは独自に規定するための情報を取得する取得部と、
を備える、無線通信装置。
（１０）
前記制御部は、前記第１の端末装置が規定したタイミングで前記第２の端末装置に対するページングを実行する、前記（９）に記載の無線通信装置。
（１１）
前記制御部は、前記取得部が取得した情報に基づいて前記第２の端末装置に対するページングのタイミングを規定する、前記（９）に記載の無線通信装置。
（１２）
基地局からページングメッセージを取得することと、
取得した前記ページングメッセージに基づいて、端末装置を介して前記基地局との無線通信を行う他の端末装置に対するページングを実行することと、
を含む、無線通信方法。
（１３）
第１の端末装置及び前記第１の端末装置を介して無線通信を行う第２の端末装置に対するページングを実行することと、
前記第２の端末装置に対するページングのタイミングを前記第１の端末装置に対するページングのタイミングとは独自に規定するための情報を取得することと、
を含む、無線通信方法。
（１４）
コンピュータに、
基地局からページングメッセージを取得することと、
取得した前記ページングメッセージに基づいて、端末装置を介して前記基地局との無線通信を行う他の端末装置に対するページングを実行することと、
を実行させる、コンピュータプログラム。
（１５）
コンピュータに、
第１の端末装置及び前記第１の端末装置を介して無線通信を行う第２の端末装置に対するページングを実行することと、
前記第２の端末装置に対するページングのタイミングを前記第１の端末装置に対するページングのタイミングとは独自に規定するための情報を取得することと、
を実行させる、コンピュータプログラム。
【符号の説明】
【０１９１】
１                    通信システム
１００ａ、１００ｂ    端末装置
２００                基地局
３００                制御エンティティ
【図１】
2016163206.tif 000003
【図２】
2016163206.tif 000004
【図３】
2016163206.tif 000005
【図４】
2016163206.tif 000006
【図５】
2016163206.tif 000007
【図６】
2016163206.tif 000008
【図７】
2016163206.tif 000009
【図８】
2016163206.tif 000010
【図９】
2016163206.tif 000011
【図１０】
2016163206.tif 000012
【図１１】
2016163206.tif 000013
【図１２】
2016163206.tif 000014
【図１３】
2016163206.tif 000015
【図１４】
2016163206.tif 000016
【図１５】
2016163206.tif 000017
【図１６】
2016163206.tif 000018
【図１７】
2016163206.tif 000019
【図１８】
2016163206.tif 000020
【図１９】
2016163206.tif 000021
【図２０】
2016163206.tif 000022
【国際調査報告】
2016163206.tif 000023
2016163206.tif 000024